(57)【特許請求の範囲】
【請求項１】
少なくとも一の筐体と、
前記筐体内に収容される一の発光素子と、
前記筐体上の一の隅部と、前記筐体の一の表面とに独立して設けられ、前記発光素子から発光された光を外部に放光する二以上の発光部と、
前記発光素子と前記発光部との間に設置され、前記発光素子から発光された光を二以上の前記発光部に導く導光板とを備え、
前記筐体の一の隅部に設けられた前記発光部は、前記隅部を構成する対向する表面および直交する２つの側面に面して構成されたことを特徴とする携帯端末装置。
【請求項２】
少なくとも一の筐体と、
前記筐体の表面に対して所定の傾きを持って保持された印刷配線基板上に実装されて前記筐体内に収容される一の発光素子と、
前記筐体上に独立して設けられ、前記発光素子から発光された光を外部に放光する二以上の発光部と、
半透明または透明の樹脂により形成されて前記発光素子と前記発光部との間に設置され、前記発光素子から発光された光を二以上の前記発光部に導く導光板とを備えたことを特徴とする携帯端末装置。
【請求項３】
前記印刷配線基板は、前記印刷配線基板上に実装された前記発光素子の光軸が、前記隅部に設けられた前記発光部のほぼ中心点と交わるように前記筐体表面に対して傾きを持って保持されたことを特徴とする請求項２記載の携帯端末装置。
【請求項４】
前記筐体は、
有色の部材で構成された内側筐体部材と、
光透過性部材で構成され、前記筐体のうち少なくとも前記発光部が設けられた箇所を前記内側筐体部材を覆うように構成された外側筐体部材とを含む部材で構成され、
前記発光部は前記導光板と前記外側筐体部材とを介して前記発光素子から発光された光を外部に放光することを特徴とする請求項１又は２に記載の携帯端末装置。
【請求項５】
前記発光部の少なくとも一部は、前記発光素子から発光された光を前記導光板から直接外部に放光することを特徴とする請求項４記載の携帯端末装置。
【請求項６】
一の前記発光素子から発光された光を外部に放光する二以上の発光部のうち少なくとも一つの近傍に、前記発光素子をさらに設けたことを特徴とする請求項１又は２に記載の携帯端末装置。
【発明の詳細な説明】
【技術分野】
【０００１】
本発明は、携帯端末装置に係り、特に発光素子から発光される光により携帯端末装置の状態を通知する発光部を備えた携帯端末装置に関する。
【背景技術】
【０００２】
携帯電話機などの携帯端末装置には、着信の発生やバッテリの消耗などの装置の動作状態を視覚的にユーザに報知するために、ＬＥＤ（Ｌｉｇｈｔ  Ｅｍｉｔｔｉｎｇ  Ｄｉｏｄｅ）などの発光素子を使用した発光部が設けられる。この表示部を備えることで、例えば会議室などのように静粛性を要求される場所においても、着信の発生やバッテリ消耗をユーザに確実に知らせることができる（例えば、特許文献１参照）。
【特許文献１】特開平７−２８８５６９号公報
【発明の開示】
【発明が解決しようとする課題】
【０００３】
従来、携帯端末装置に設けられる発光部には、例えば特許文献１に示すように一箇所につき一個のＬＥＤを設置していた。このため、発光部が複数箇所に設けられる場合には、その箇所に相当する数のＬＥＤが必須となり、携帯端末装置のコスト増加を招いていた。また、ＬＥＤが複数個設置される場合には、基板実装面積の増加につながり、携帯端末装置の大型化にもつながる。
【０００４】
本発明はこのような事情を考慮してなされたもので、一個の発光素子を用いて独立した複数の発光部を効率的に照光させ、良好な視認性を保持し得る携帯端末装置を提供することを目的とする。
【課題を解決するための手段】
【０００５】
本発明に係る携帯端末装置は、上述した課題を解決するために、少なくとも一の筐体と、前記筐体内に収容される一の発光素子と、前記筐体上に独立して設けられ、前記発光素子から発光された光を外部に放光する二以上の発光部と、前記発光素子と前記発光部との間に設置され、前記発光素子から発光された光を二以上の前記発光部に導く導光板とを備えたことを特徴とする。
【発明の効果】
【０００６】
本発明に係る携帯端末装置は、一個の発光素子を用いて独立した複数の発光部を効率的に照光させ、良好な視認性を保持することができる。
【発明を実施するための最良の形態】
【０００７】
本発明に係る携帯端末装置の実施形態を添付図面に基づいて説明する。
【０００８】
図１は、本発明に係る携帯端末装置の一例である折りたたみ式の携帯電話機１の外観の構成を表している。なお、図１（Ａ）は、折りたたみ式の携帯電話機１を約１８０度に見開いた開（展開）状態のときの正面から見た外観の構成を表しており、図１（Ｂ）は、携帯電話機１を開状態としたときの側面から見た外観の構成を表している。
【０００９】
図１（Ａ）および（Ｂ）に示されるように、携帯電話機１は、中央のヒンジ部１１を境に第１の筐体１２と第２の筐体１３とがヒンジ結合されており、ヒンジ部１１を介して矢印Ｘ方向に折り畳み可能に形成される。携帯電話機１の内部の所定の位置には、図示しない送受信用のアンテナが設けられており、内蔵されたアンテナを介して基地局との間で電波を送受信する。
【００１０】
第１の筐体１２には、その表面に操作キー１４が設けられており、操作キー１４を用いて各種指示を入力することができる。操作キー１４の下部にはマイクロフォン１５が設けられており、マイクロフォン１５によって通話時のユーザの音声を集音する。
【００１１】
なお、第１の筐体１２は、背面側に図示しないバッテリパックが挿着されており、終話・電源キーがオン状態になると、バッテリパックから各回路部に対して電力が供給されて動作可能な状態に起動する。
【００１２】
一方、第２の筐体１３には、その正面にメインディスプレイ１７が設けられている。メインディスプレイ１７は、例えばＬＣＤ（Ｌｉｑｕｉｄ  Ｃｒｙｓｔａｌ  Ｄｉｓｐｌａｙ）、有機ＥＬディスプレイ（ＥｌｅｃｔｒｏＬｕｍｉｎｅｓｃｅｎｃｅ  Ｄｉｓｐｌａｙ）、無機ＥＬディスプレイ（ｉｎｏｒｇａｎｉｃ  ｅｌｅｃｔｒｏＬｕｍｉｎｅｓｃｅｎｃｅ  Ｄｉｓｐｌａｙ）、ＳＥＤ（Ｓｕｒｆａｃｅ−ｃｏｎｄｕｃｔｉｏｎ  Ｅｌｅｃｔｒｏｎ−ｅｍｉｔｔｅｒ  Ｄｉｓｐｌａｙ）により構成されるディスプレイである。
【００１３】
メインディスプレイ１７には、電波の受信状態、電池残量、電話帳として登録されている相手先名や電話番号及び送信履歴等の他、電子メールの内容、簡易ホームページなどが表示される。
【００１４】
メインディスプレイ１７の上部の所定の位置にはレシーバ（受話器）１８が設けられており、これにより、ユーザは音声通話することが可能である。なお、携帯電話機１の所定の位置には、レシーバ１８以外の音声出力部としてのスピーカ（図示せず）も設けられている。
【００１５】
第２の筐体１３の右上端部に位置する隅部には、発光部３０が設けられる。発光部３０の詳細については後述する。
【００１６】
図２は、本発明に係る携帯端末装置の一例である折りたたみ式携帯電話機１の他の外観の構成を表している。図２の携帯電話機１は、図１の携帯電話機１の状態から矢印Ｘ方向に回動させた閉状態であり、第１の筐体１２と第２の筐体１３とがほぼ重なり合う状態である。なお、図２（Ａ）は、携帯電話機１が閉状態のときの正面から見た外観の構成を表しており、図２（Ｂ）は、携帯電話機１が閉状態のときの側面から見た外観の構成を表している。
【００１７】
第２の筐体１３の下部には、発光表示部３１が設けられる。発光表示部３１の詳細は、後述する。
【００１８】
図３は、図２（Ａ）の発光部３０および発光表示部３１を特に拡大して表した斜視図である。本実施形態における携帯電話機１は、発光素子である一個の発光ダイオード（ＬＥＤ：Ｌｉｇｈｔ  Ｅｍｉｔｔｉｎｇ  Ｄｉｏｄｅ）３２から発光される光を用いて、独立した発光部３０および発光表示部３１を照光させるように構成される。図３は、説明の便宜上、筐体の最も外側に構成される外側筐体部材３５を破断線で示し、その他の外側筐体部材３５の内側に構成される内側筐体部材３６などを実線で示す。
【００１９】
第２の筐体１３は、外側筐体部材３５および内側筐体部材３６で構成される。外側筐体部材３５は、ＬＥＤ３２の発光色および内側筐体部材３６の色彩を変えない無色透明又は半透明な光透過性部材で構成される。内側筐体部材３６は、例えば白色を含む有色素材で構成され、内側筐体部材３６の外側に構成される外側筐体部材３５より透過することにより第２の筐体１３の色彩を構成する。
【００２０】
第２の筐体１３の一の上端に位置する隅部は、内側筐体部材３６が側面に対し約４５度の斜め方向に切断されており、外側筐体部材３５のみで形成される。第２の筐体１３の一の上端隅部は、無色透明な外側筐体部材３５のみで形成されるため、内部に設置されるＬＥＤ３２の発光に伴い光を外部に放光させる発光部３０を構成する。発光部３０は、第２の筐体１３のメインディスプレイ１７が設けられる表面（以下、内表面という。）とこれに対向する表面（以下、外表面という。）および直交する二つの側面に面して構成されるため、携帯電話機１が図１に示す開状態、図２に示す閉状態のいずれの状態であっても、一のＬＥＤ３２を用いて発光状態を視認することができる。
【００２１】
第２の筐体１３の外表面は、内側筐体部材３６が所定の文字、例えば「ＡＢＣ」でくり抜かれて形成されている。このくり抜かれた部分は、第２の筐体１３内部に設置されるＬＥＤ３２の発光に伴い光を外部へ放光させる発光表示部３１を構成する。なおこの「ＡＢＣ」でくり抜かれて形成されている部分については、文字に限定されることなく、記号・模様であっても所定の形状であっても良い。
【００２２】
この発光部３０および発光表示部３１は独立して設けられ、一のＬＥＤ３２の発光に伴い光を外部に放光し、主に着信の発生やバッテリパックの電力量の消耗、バッテリパックの充電状態などをユーザに視覚的に通知する。
【００２３】
ＬＥＤ３２は、第２の筐体１３の内部に設置され、導光板３７と外側筐体部材３５とを順次介して発光部３０および発光表示部３１を照光させる。
【００２４】
図４は、携帯電話機１の第２の筐体１３内部を示す斜視図である。ＬＥＤ３２は印刷配線基板３８上に実装され、図示しない発光駆動回路により単色または複数色で発光動作する。ＬＥＤ３２は、主に着信の発生時やバッテリパックの電力量の消耗時、バッテリパックの充電時に発光する。印刷配線基板３８は、第２の筐体１３の表面に対し所定の傾きを持って保持される。印刷配線基板３８上のＬＥＤ３２は所定の傾きを持って保持されることで、独立して設けられた発光部３０および発光表示部３１を効率よく照光させることができる。なお、印刷配線基板３８の傾きは、発光部３０のほぼ中心点とＬＥＤ３２の光軸が交わるように決定されるのが好適である。
【００２５】
導光板３７は、半透明または透明の樹脂により形成され、ＬＥＤ３２から発光された光を光軸以外の範囲においても効率よく放光させる。図５は、導光板３７の外観図である。導光板３７は、図３に示すように内側筐体部材３６から突出するように構成され、さらに外側筐体部材３５で覆われている。
【００２６】
図６は、図４に示す携帯電話機１の第２の筐体１３内部を示す斜視図に対し、導光板３７が配置された場合の携帯電話機１の第２の筐体１３内部を示す斜視図である。図７は、図１（Ａ）に示す携帯電話機１のＡ−Ａ間の断面図の一部を第２の筐体１３の内表面が下側にくるように表した図である。導光板３７は、ＬＥＤ３２と発光部３０および発光表示部３１との間に設けられ、さらに発光部３０および発光表示部３１を構成する外側筐体部材３５と近接するように構成される。また、第２の筐体１３の内表面に面する発光部３０の一部は、導光板３７によって構成され、ＬＥＤ３２の発光に伴い導光板３７から直接放光するようになっている。
【００２７】
なお、１つの導光板３７を用いて発光部３０および発光表示部３１からＬＥＤ３２の光を放光するように構成したが、発光部３０と発光表示部３１とに独立した２つの導光板を配置させてもよい。
【００２８】
次に、本実施形態における携帯電話機１の動作について説明する。
【００２９】
携帯電話機１は、音声通話やメールの着信の発生やバッテリパックの消耗に伴い、図示しない発光駆動回路に発光動作を指示する。発光駆動回路は、この指示に伴いＬＥＤ３２を発光させる。ＬＥＤ３２は、図７に示す光軸Ｌの方向に発光する。ＬＥＤ３２から発光された光は、導光板３７に入射した後、一部の光が導光板３７におけるＬＥＤ３２の光軸Ｌと平行する面から外側筐体部材３５を介して発光部３０へ放光される。また、他の光は導光板３７内で反射を繰り返しながらＬＥＤ３２の光軸Ｌから外れた領域である発光部３０および発光表示部３１まで導かれ、外側筐体部材３５を介して外部へ放光される。第２の筐体１３の内表面に面する発光部３０については、内表面の一部を構成する導光板３７から直接外部へ放光される。
【００３０】
また、遮光部材３９を設けることで発光部３０及び発光表示部３１以外の放光を望まない部位からの放光を防止する。
【００３１】
携帯電話機１はこのような構成とすることで、独立して設けられた発光部３０および発光表示部３１に対しても、一個のＬＥＤ３２から発光された光を導光板３７を介して全体に均一に放光させることができ、発光部３０及び発光表示部３１を効率よく照光することができる。
【００３２】
この携帯電話機１によれば、一個のＬＥＤ３２を用いて第２の筐体１３の隅部を構成する内表面、外表面および直交する二つの側面に面して構成された発光部３０を効率よく照光するため、携帯電話機１が図１に示す開状態、図２に示す閉状態のいずれの状態であっても、一のＬＥＤ３２を用いて発光状態を視認することができる。
【００３３】
また、発光部３０とは独立して設けられた発光表示部３１についても、発光表示部３１の照光に特化したＬＥＤ３２を設ける必要がなく、発光部３０と同一のＬＥＤ３２を用いて効率よく照光させることができる。これに伴い、複数個のＬＥＤ３２を用いる必要がないため携帯電話機１内部の基板実装面積を増加させることなく複数箇所に独立して設けられた発光部を照光させることができる。また、一個のＬＥＤ３２を用いて複数箇所の発光部を照光させることができるため、ＬＥＤ３２増加に伴う消費電力や生産時のコストの増加、携帯電話機１の大型化を回避することができる。
【００３４】
さらに、ＬＥＤ３２が実装された印刷配線基板３８は、ＬＥＤ３２の光軸が発光部３０のほぼ中心点と交わるように第２の筐体１３の表面に対して傾きを持って保持されるため、独立した発光部３０および発光表示部３１であっても視認性を良好に保ちながら照光させることができる。
【００３５】
なお、発光部３０と発光表示部３１との照光を独立して行いたい場合には、さらにＬＥＤ３２を設けることにより実現される。
【００３６】
図８および９は、携帯電話機１の変形例であり、図８は第２の筐体１３内部を示す斜視図、図９は図１（Ａ）に示す携帯電話機１のＡ−Ａ間の断面図の一部を第２の筐体１３の内表面が下側にくるように表した図である。この携帯電話機１は、発光表示部３１の近傍にＬＥＤ４０がさらに設けられており、発光表示部３１を独立または強調して照光することができる。
【００３７】
ＬＥＤ４０は印刷配線基板４１上に実装され、図示しない発光駆動回路により単色または複数色で発光動作する。
【００３８】
ＬＥＤ４０は、図９に示す光軸Ｌ´の方向に発光する。ＬＥＤ４０の発光は、導光板３７に入射された後、導光板３７におけるＬＥＤ４０の光軸Ｌ´と平行する面から外側筐体部材３５を介して主に発光表示部３１へ放光される。
【００３９】
このようにＬＥＤ４０を発光表示部３１の近傍に設けることにより、ＬＥＤ３２を発光させて発光部３０と発光表示部３１を同時に照光させた上で、発光表示部３１のみをさらに強調させて照光することができる。また、発光表示部３１の近傍に設けられたＬＥＤ４０のみを発光させることで、発光表示部３１のみを主に照光することができる。例えば、バッテリパックが充電状態であるときにはＬＥＤ４０を発光することにより発光表示部３１のみを照光させ、さらに着信が発生した場合にはＬＥＤ３２を追加で発光して発光部３０を照光させることができる。よって、バッテリパックの充電状態と着信の発生とを同時に通知することができる。
【００４０】
また、特定の発信者からの着信の発生を強調して通知したい場合などには、ＬＥＤ３２およびＬＥＤ４０を同時に発光させることにより発光表示部３１を特に強調して照光させることができる。
【００４１】
なお、本実施形態においては発光部３０と発光表示部３１とを発光部として二箇所に独立して設けたが、発光部の配置はこれに限られない。また発光部は二箇所に限られず、三箇所やそれ以上に独立して設けてもよい。
【００４２】
また、本発明に係る携帯端末装置は、折りたたみ式の携帯電話機以外にも、スライド式、ストレート式などの種々の形態の携帯電話機に適用することができる。
【００４３】
さらに、本発明に係る携帯端末装置は、携帯電話機以外にもＰＤＡ（Ｐｅｒｓｏｎａｌ  Ｄｉｇｉｔａｌ  Ａｓｓｉｓｔａｎｔ）、パーソナルコンピュータ、携帯型ゲーム機、携帯型音楽再生機、携帯型動画再生機、その他の携帯端末装置にも適用することができる。
【図面の簡単な説明】
【００４４】
【図１】本発明に係る携帯端末装置に適用可能な携帯電話機の外観の構成を示す図。
【図２】本発明に係る携帯端末装置に適用可能な携帯電話機の他の外観の構成を示す図。
【図３】発光部および発光表示部を特に拡大して表した斜視図。
【図４】本実施形態における携帯電話機の第２の筐体内部を示す斜視図。
【図５】導光板の外観図。
【図６】導光板が配置された場合の携帯電話機の第２の筐体内部を示す斜視図。
【図７】図１（Ａ）に示す携帯電話機のＡ−Ａ間の断面図の一部を第２の筐体の内表面が下側にくるように表した図。
【図８】本実施形態における携帯電話機の変形例であり、第２の筐体内部を示す斜視図。
【図９】本実施形態における携帯電話機の変形例であり、図１（Ａ）に示す携帯電話機のＡ−Ａ間の断面図の一部を第２の筐体の内表面が下側にくるように表した図。
【符号の説明】
【００４５】
１  携帯電話機
１１  ヒンジ
１２  第１の筐体
１３  第２の筐体
１４  操作キー
１５  マイクロフォン
１６  サイドキー
１７  メインディスプレイ
１８  レシーバ（受話器）
３０  発光部
３１  発光表示部
３２  発光ダイオード（ＬＥＤ）
３５  外側筐体部材
３６  内側筐体部材
３７  導光板
３８  印刷配線基板
３９  遮光部材
４０  発光ダイオード（ＬＥＤ）
４１  印刷配線基板
【図１】
0005125578.tif 000002
【図２】
0005125578.tif 000003
【図３】
0005125578.tif 000004
【図４】
0005125578.tif 000005
【図５】
0005125578.tif 000006
【図６】
0005125578.tif 000007
【図７】
0005125578.tif 000008
【図８】
0005125578.tif 000009
【図９】
0005125578.tif 000010